(57)【要約】      （修正有）【課題】人体に穿刺された点滴用の翼状針を非接触で、廃棄済みの他の翼状針の短チューブと絡み付くことなく、廃棄収容できる使い捨て型の点滴用翼状針廃棄ケースを提供する。【解決手段】人体に穿刺された点滴用の翼状針を非接触で廃棄収容するための点滴用翼状針廃棄ケースであって、前記翼状針を収容するケース本体Ｂと、当該ケース本体Ｂの開口２を覆う外蓋Ｌ1と、前記ケース本体Ｂの開口２に嵌着される内蓋Ｌ2とから成り、前記内蓋Ｌ2は、前記翼状針を保持可能とすべく、当該翼状針に接続している短チューブを、前記ケース本体Ｂの廃棄収容空間に廃棄収容させるための短チューブ挿通開口３０が中央部に形成され、前記翼状針を突刺により固定させる突刺固定部Ｄ、又は前記翼状針に設けられた一対の翼片を折り曲げることで発生する弾性復元力により当該翼状針を特定位置に保持させる弾接保持部Ｅの少なくとも一つが周縁部に設けられた構成とする。【選択図】図２
2015065983.tif 000002
【特許請求の範囲】
【請求項１】
人体に穿刺された点滴用の翼状針を非接触で廃棄収容するための点滴用翼状針廃棄ケースであって、
前記翼状針を収容するケース本体と、当該ケース本体の開口を覆う外蓋と、前記ケース本体の開口に嵌着される内蓋とから成り、
前記内蓋は、前記翼状針を保持可能とすべく、当該翼状針に接続している短チューブを、前記ケース本体の廃棄収容空間に廃棄収容させるための短チューブ挿通開口が中央部に形成され、前記翼状針を突刺により固定させる突刺固定部、又は前記翼状針に設けられた一対の翼片を折り曲げることで発生する弾性復元力により、当該翼状針を特定位置に保持させる弾接保持部の少なくとも一つが周縁部に設けられた構成であることを特徴とする点滴用翼状針廃棄ケース。
【請求項２】
前記ケース本体は、平面視で方形状であって、前記内蓋の周縁部における隣接する２辺の部分には、前記突刺固定部が連続して設けられ、前記内蓋の周縁部における残りの２辺の部分には、前記弾接保持部が連続して設けられていることを特徴とする請求項１に記載の点滴用翼状針廃棄ケース。
【請求項３】
前記突刺固定部は、前記内蓋の上面から下がった位置に配置されたスポンジ体で構成され、翼状針は、当該スポンジ体を貫通して突刺される構成であることを特徴とする請求項１又は２に記載の点滴用翼状針廃棄ケース。
【請求項４】
前記弾接保持部は、水平板部に多数の弾接板部が、翼状針の一対の翼片を折り曲げて開放させることで、当該弾接板部に当該一対の翼片が弾接する間隔をおいて起立して設けられ、
前記水平板部には、一対の翼片が隣接する弾接板部に弾接した状態で、翼状針を挿通可能な多数の針挿通孔が設けられた構成であることを特徴とする請求項１又は２に記載の点滴用翼状針廃棄ケース。
【請求項５】
前記ケース本体は、平面視で長方形状であって、前記内蓋には、一般の注射針、注射液アンプル等を投入する一般注射針類投入部が併設され、
前記ケース本体の廃棄収容空間は、仕切板により、翼状針と一般注射針類との各廃棄収容空間に分離されていることを特徴とする請求項１ないし４のいずれかに記載の点滴用翼状針廃棄ケース。
【請求項６】
前記一般注射針類投入部の投入口は、放射方向に切割が形成された複数の弾性片で閉塞され、一般注射針類の投入時において、前記各弾性片が弾性変形して投入口が形成される構成であることを特徴とする請求項５に記載の点滴用翼状針廃棄ケース。
【請求項７】
前記一般注射針類投入部の投入口には、一般注射針の基端の鍔部を引っ掛けて注射筒から抜き取るための注射針抜取り溝が放射方向に形成されていることを特徴とする請求項５に記載の点滴用翼状針廃棄ケース。
【発明の詳細な説明】
【技術分野】
【０００１】
本発明は、人体に穿刺された点滴用の翼状針を非接触で廃棄収容するための使い捨て型の点滴用翼状針廃棄ケースに関するものである。
【背景技術】
【０００２】
人工透析等のために点滴により薬剤（薬液）を体内に注入している患者には、在宅において点滴を行っている者が多数いる。点滴用の注射針には、ほぼ直角に曲げられた金属針の基端部に、当該金属針を人体に対して保持させるための一対の翼片を備えた翼状針が使用され、この翼状針は、一回の使用により廃棄処分される。なお、廃棄処分される翼状針には、所定長の短チューブが一体に接続されている。
【０００３】
在宅にて使用された翼状針は、在宅医療廃棄物であって、感染予防のために、その処分は、国或いは個々の自治体によって定められたガイドラインによることが義務付けられている。このため、使用済の翼状針は、患者自身が所定のケースに収容して、掛り付けの病院等の医療機関に持参することで集められ、当該医療機関が上記ガイドラインに沿った焼却処分を行っている。ここで、患者は、持参したケース内に翼状針、一般の注射針、注射液アンプル等を一緒に収容して、医療機関において、当該ケース内の翼状針等を取り出した後に、患者は、当該ケースを持ち帰って、再使用しているのが実情であって、ケース内からの翼状針等の取り出しは、接触による感染の恐れもあって、毛嫌いされている。
【０００４】
点滴用の翼状針には、特許文献１に示されるように、人体（静脈）からの金属針の抜取り時に、当該金属針の先端部が、保護部に収容されて、使用済みの金属針の先端部が露出しない構造のものもあるが、金属針の先端部が露出されたままの翼状針も存在する。
【０００５】
金属針の先端部が露出されたままの後者の翼状針の廃棄に際して、当該翼状針には、所定長の短チューブが一体に接続されているために、ケースに廃棄投入する際に、廃棄途中の翼状針の金属針及び短チューブが、廃棄済の翼状針の短チューブに絡み付いたりすると共に、当該短チューブの部分まで血液が入り込んでいる場合もあって、廃棄時において、金属針及び短チューブに残存している血液或いは薬液が飛散することもあった。
【０００６】
しかし、一般の注射針については、特許文献２，３に開示されるような廃棄ケースが開発されているが、点滴用の翼状針に関しては、一対の翼片及び短チューブを一体に備えていて、廃棄時における取り扱いが厄介なこともあって、専用の使い捨て型の廃棄ケースは出現していない。
【先行技術文献】
【特許文献】
【０００７】
【特許文献１】特開２０１２−１６６２９号公報
【特許文献２】特開２００７−１２５３４１号公報
【特許文献３】特開２００７−２９７４７号公報
【発明の概要】
【発明が解決しようとする課題】
【０００８】
本発明の課題は、人体に穿刺された点滴用の翼状針を非接触で、しかも廃棄済みの他の翼状針の短チューブと絡み付くことなく、整然と廃棄収容できる使い捨て型の点滴用翼状針廃棄ケースの提供である。
【課題を解決するための手段】
【０００９】
上記課題を解決するための請求項１の発明は、人体に穿刺された点滴用の翼状針を非接触で廃棄収容するための点滴用翼状針廃棄ケースであって、前記翼状針を収容するケース本体と、当該ケース本体の開口を覆う外蓋と、前記ケース本体の開口に嵌着される内蓋とから成り、前記内蓋は、前記翼状針を保持可能とすべく、当該翼状針に接続している短チューブを、前記ケース本体の廃棄収容空間に廃棄収容させるための短チューブ挿通開口が中央部に形成され、前記翼状針を突刺により固定させる突刺固定部、又は前記翼状針に設けられた一対の翼片を折り曲げることで発生する弾性復元力により、当該翼状針を特定位置に保持させる弾接保持部の少なくとも一つが周縁部に設けられた構成であることを特徴としている。
【００１０】
請求項１の発明によれば、使用済の翼状針を廃棄ケースに廃棄収容させるには、翼状針に接続している短チューブを、内蓋の短チューブ挿通開口を通して、ケース本体における内蓋よりも下方の廃棄収容空間に収容させた状態で、翼状針を構成するほぼ直角に折り曲げられた金属針を、ケース本体の開口に嵌め込まれた内蓋の周縁部の突刺固定部に突刺させて引っ掛けるか、或いは翼状針に設けられた一対の翼片を折り曲げることで発生する弾性復元力を利用して、当該翼状針を弾接保持部に保持させて引っ掛ける。翼状針を構成する金属針は、ほぼ直角に折り曲げられているので、突刺固定部又は弾接保持部に、折り曲げられた金属針の先端側の部分をほぼ垂直に配置して引っ掛けることで、当該金属針の残りの部分、及び当該部分に接続された短チューブの一部は、ほぼ水平に配置されて、前記突刺固定部又は前記弾接保持部から上方に突出しないので、短チューブの部分をケース本体に収容し易くなる。
【００１１】
これにより、内蓋の突刺固定部又は弾接保持部のいずれかに翼状針が引っ掛けられることで、金属針がほぼ直角に折り曲げられた翼状針は、内蓋の上面から上方に突出することなく、内蓋の突刺固定部又は弾接保持部のいずれかに固定された状態となって、短チューブは、内蓋の中央部の短チューブ挿通開口を通して、ケース本体の廃棄収容空間に収容されるため、多数の翼状針は、互いに絡み付くことなく、内蓋及びケース本体に整然と廃棄収容される。翼状針が廃棄収容された廃棄ケースは、携帯可能な大きさであって、しかも使い捨て型であるため、医療機関に持参することで、そのままの状態で焼却処分される。
【００１２】
請求項２の発明は、請求項１の発明において、前記ケース本体は、平面視で方形状であって、前記内蓋の周縁部における隣接する２辺の部分には、前記突刺固定部が連続して設けられ、前記内蓋の周縁部における残りの２辺の部分には、前記弾接保持部が連続して設けられていることを特徴としている。
【００１３】
請求項２の発明によれば、内蓋に対する翼状針の固定に際して、突刺固定部又は弾接保持部のいずれかの選択が可能となる。よって、２種類の固定部のうち使い勝手のよい方を選択することができる。
【００１４】
請求項３の発明は、請求項１又は２の発明において、前記突刺固定部は、前記内蓋の上面から下がった位置に配置されたスポンジ体で構成され、翼状針は、当該スポンジ体を貫通して突刺される構成であることを特徴としている。
【００１５】
請求項３の発明によれば、前記突刺固定部は、前記内蓋の上面から下がった位置に配置されたスポンジ体で構成されているため、当該スポンジ体を貫通させて翼状針を突刺させることで、当該翼状針を容易に固定できる。また、スポンジ体の表面には、翼状針から流出した血液、薬液が付着することがあるが、スポンジ体は、内蓋の上面よりも下がった位置に配置されているため、当該血液等が視認しにくくなって、他人の血液を直接に見ることによる不快感を解消できる。
【００１６】
請求項４の発明は、請求項１又は２の発明において、前記弾接保持部は、水平板部に多数の弾接板部が、翼状針の一対の翼片を折り曲げて開放させることで、当該弾接板部に当該一対の翼片が弾接する間隔をおいて起立して設けられ、前記水平板部には、一対の翼片が隣接する弾接板部に弾接した状態で、翼状針を挿通可能な多数の針挿通孔が設けられた構成であることを特徴としている。
【００１７】
請求項４の発明は、翼状針が備えている一対の翼片に着目した発明であって、当該一対の翼片を折り曲げて、隣接する弾接板部の間に配置すると共に、当該翼状針を水平板部に形成された針挿通孔に挿通させた状態で、当該一対の翼片を開放させると、当該一対の翼片は、その弾性復元力により弾接板部に対して弾接されて、固定状態となる。
【００１８】
請求項５の発明は、請求項１ないし４のいずれかの発明において、前記ケース本体は、平面視で長方形状であって、前記内蓋には、一般の注射針、注射液アンプル等を投入する一般注射針類投入部が併設され、前記ケース本体の廃棄収容空間は、仕切板により、翼状針と一般注射針類との各廃棄収容空間に分離されていることを特徴としている。
【００１９】
請求項５の発明によれば、同一の廃棄ケースに対して短チューブが接続された翼状針と、一般の注射針、注射液アンプル等とを分別して廃棄収容できる。
【００２０】
請求項６の発明は、請求項５の発明において、前記一般注射針類投入部の投入口は、放射方向に切割が形成された複数の弾性片で閉塞され、一般注射針類の投入時において、前記各弾性片が弾性変形して投入口が形成される構成であることを特徴としている。
【００２１】
請求項６の発明によれば、内蓋に設けられた一般注射針類投入部の投入口は、放射方向に切割が形成された複数の弾性片で閉塞されていて、一般注射針類の投入時において、前記各弾性片が弾性変形して投入口が形成される構成であるため、廃棄ケースを転倒等させても、廃棄収容空間に収容された一般注射針類が投入口から出てしまうことがないと共に、非投入時には、投入口は閉塞されて内部の廃棄された一般注射針類を視認できなくて、見栄えが悪くならない。
【００２２】
請求項７の発明は、請求項５の発明において、前記一般注射針類投入部の投入口には、一般注射針の基端の鍔部を引っ掛けて注射筒から抜き取るための注射針抜取り溝が放射方向に形成されていることを特徴としている。
【００２３】
請求項７の発明によれば、一般注射針に接触することなく、注射筒から当該一般注射針を取り外すことができる。
【発明の効果】
【００２４】
本発明によれば、内蓋の突刺固定部又は弾接保持部のいずれかに翼状針が引っ掛けられることで、金属針がほぼ直角に折り曲げられた翼状針は、内蓋の上面から上方に突出することなく、内蓋の突刺固定部又は弾接保持部のいずれかに固定された状態となって、短チューブは、内蓋の中央部の短チューブ挿通開口を通して、ケース本体の廃棄収容空間に収容されるため、多数の翼状針は、互いに絡み付くことなく、内蓋及びケース本体に整然と廃棄収容される。
【図面の簡単な説明】
【００２５】
【図１】（ａ），（ｂ）は、それぞれ実施例１の翼状針廃棄ケースＣ1 の外蓋Ｌ1 を開いた状態、及び閉じた状態の斜視図である。
【図２】内蓋Ｌ2 を取り外した状態の斜視図である。
【図３】外蓋Ｌ1 を開いた状態の翼状針廃棄ケースＣ1 の平面図である。
【図４】外蓋Ｌ1 を閉じた状態における図３のＸ−Ｘ線断面図である。
【図５】外蓋Ｌ1 を閉じた状態における図３のＹ1 −Ｙ1 線断面図である。
【図６】外蓋Ｌ1 を閉じた状態における図３のＹ2 −Ｙ2 線断面図である。
【図７】翼状針廃棄ケースＣ1 の使用状態を示す斜視図である。
【図８】（ａ），（ｂ）は、それぞれ翼状針廃棄ケースＣ1 の第１及び第２の各廃棄収容空間Ｖ1 ，Ｖ2 に翼状針Ｎ11及び一般注射針類が廃棄収容された状態の断面図である。
【図９】翼状針Ｎ11の一対の翼片２２が弾接保持部Ｅの隣接する弾接板部４２に弾接保持された状態の断面図である。
【図１０】翼状針廃棄ケースＣ1 の一般注射針類投入部Ａ2 において注射筒６１から一般注射針Ｎ2 を抜き取っている状態の断面図である。
【図１１】翼状針廃棄ケースＣ1 の別の構造の突刺固定部Ｄ’の断面図である。
【図１２】（ａ）は、実施例２の翼状針廃棄ケースＣ2 の平面図であり、（ｂ）は、（ａ）のＺ−Ｚ線断面図である。
【図１３】（ａ），（ｂ）は、それぞれ廃棄ケースＣ3 の内蓋Ｌ2'' の平面図及び斜視図である。
【図１４】仕切板８が取外し可能な構造を有するケース本体Ｂの斜視図である。
【発明を実施するための形態】
【００２６】
以下、複数の最適な実施例を挙げて、本発明を更に詳細に説明する。
【実施例１】
【００２７】
点滴用翼状針廃棄ケースＣ1 は、図１〜図６に示されるように、射出成形による樹脂成形品であって、長方形の平面形状を有する深い箱形をなしている。当該ケースＣ1 は、長方形の深い箱型をしたケース本体Ｂと、当該ケース本体Ｂの上端部の４辺のうち１辺の長辺部にヒンジ部１を介して連結されて当該ケース本体Ｂの開口２を閉塞する外蓋Ｌ1 と、当該ケース本体Ｂの開口２に臨んだ状態で嵌着される内蓋Ｌ2 とから成る。
【００２８】
ケース本体Ｂは、底板部３と、対向配置された一対の第１側板部４と、当該一対の第１側板部４の対向方向に対して９０°異なる方向に沿って対向配置された別の一対の第２側板部５との、計５枚の各板部が一体となった構成であって、一対の第１側板部４及び別の一対の第２側板部５の対向間隔は、いずれも底板部３から開口２に向けて漸次僅かに広くなることで、僅かに外方に傾斜している。一対の第１側板部４は、平面視で長方形状の部分の長辺部を構成しており、一対の第２側板部５は、同じく短辺部を構成している。一対の第１側板部５の内側面には、内蓋Ｌ2 の支持と補強とを兼用した計４本の縦リブ６が、底面から高さ方向の途中まで対向して設けられ、一対の第２側板部４には、同様の計２本の縦リブ７が対向して設けられている。各縦リブ６，７の上端面には、ケース本体Ｂの開口２に嵌着される内蓋Ｌ2 の下端面が当接するため、ケース本体Ｂにおける各縦リブ６，７の高さの範囲は、翼状針Ｎ11或いは一般注射針類の第１及び第２の各廃棄収容空間Ｖ1 ，Ｖ2 となっていて、各廃棄収容空間Ｖ1 ，Ｖ2 は、仕切板８により仕切られている。
【００２９】
図５に詳細に図示されているように、ケース本体Ｂの第１及び第２の各側板部４，５の上端部は、外側にのみ段差で形成されることで、全周に亘って薄肉に形成されて、当該薄肉部の上半部の外側には、外蓋Ｌ1 を係止させる外蓋係止凸条１１が前記ヒンジ部１を除く全周に亘って形成されることで、当該薄肉部の下半部には、外蓋係止凹条１２が形成されている。なお、ケース本体Ｂの第１及び第２の各側板部４，５の上端部に、外蓋係止凸条１１及び外蓋係止凹条１２が形成されることで、外蓋Ｌ1 の対応部分には、それぞれ被係止凹条１３及び被係止凸条１４が形成されている。外蓋Ｌ1 におけるヒンジ部１と対向する長辺部の中央部には、ケース本体Ｂに対して外蓋Ｌ1 が係止された状態で、当該係止を解除させるための係止解除片１５が設けられている。
【００３０】
内蓋Ｌ2 は、本発明に係る翼状針廃棄ケースの主体となる部分であって、翼状針Ｎ11（Ｎ12）を投入して廃棄収容する翼状針投入部Ａ1 と、一般の注射針、注射液アンプル等を投入して廃棄収容する一般注射針類投入部Ａ2 とが、長手方向に沿って併設されている。
【００３１】
翼状針には、図７に示されるように、直角に折り曲げられた金属針２１の基端部に一対の翼片２２が一体に設けられていて、短チューブ２３が接続されることで、当該金属針２１が露出した翼状針Ｎ11と、人体（静脈）に穿刺する前後において、金属針２１の先端部が保護部２４に収容保護される翼状針Ｎ12とがあって、後述の突刺固定部Ｄ又は弾接保持部Ｅに引っ掛けられるのは、前者の翼状針Ｎ11である。なお、図７において、２５は、短チューブ２３を圧縮させて、当該短チューブ２３を流れる薬液を止める薬液止具であり、２６は、点滴装置の他のチューブに接続する接続具を示す。
【００３２】
内蓋Ｌ2 は、図２に示されるように、平面視で方形状をなしていて、翼状針投入部Ａ1 の部分は、全体が方形枠状に形成され、一般注射針類投入部Ａ2 の部分は、方形枠部に、緩やかな逆角錐状の天板部５１が設けられた形状となっている。即ち、翼状針投入部Ａ1 は、長方形枠の隣接する２辺の部分に、翼状針Ｎ11を引っ掛けるための突刺固定部Ｄが形成され、残りの隣接する２辺の部分に、同様の弾接保持部Ｅが形成されて、中央部の開口は、翼状針Ｎ11に接続している短チューブを挿通させる短チューブ挿通開口３０となっている。
【００３３】
突刺固定部Ｄは、長方形枠状をした翼状針投入部Ａ1 の連続する２辺の部分に設けられ、内蓋Ｌ2 を構成する外縦板部３１の内側に、所定間隔をおいて全体形状がＬ字形の第１内縦板部３２が形成されて、上端の部分が、全体形状がＬ字形をした天板部３３で覆われ、当該天板部３３にＬ字状の針挿入溝３４が形成され、前記外縦板部３１、第１内縦板部３２及び天板部３３で形成される針挿入空間３５に、当該針挿入空間３５の下面開口からスポンジ体３６が天板部３３の部分まで挿入された構成である。スポンジ体３６は、接着剤により外縦板部３１及び第１内縦板部３２の各内面に強固に固定されている。このため、スポンジ体３６は、内蓋Ｌ2 の上端面（天板部の３３の上面）に対して、当該天板部の３３の板厚分だけ下がった位置に配置されている。このように構成したのは、針挿入溝３４を通して翼状針Ｎ11をスポンジ体３６に突刺・貫通させることで、当該スポンジ体３６に翼状針Ｎ11を引っ掛けて固定した状態で、翼状針Ｎ11に含まれている血液が流出してスポンジ体３６に付着された場合においても、当該血液の部分が内蓋Ｌ2 の表面に露出して、廃棄ケースの取扱者に不快感を与えるのを防止するためである。
【００３４】
弾接保持部Ｅは、長方形枠状をした翼状針投入部Ａ1 の残りの連続する２辺の部分に設けられ、平面視でＬ字状をした底板部４１の上面に、翼状針Ｎ11の一対の翼片２２を上方に折り曲げて開放することで弾接する弾接板部４２が一定の間隔をおいて設けられ、底板部４１における隣接する弾接板部４２の間には、翼状針Ｎ11を挿通させる針挿通孔４３が設けられた構成である。なお、上記した２辺のコーナー部の直交する弾接板部４２で囲まれた部分は、翼状針Ｎ11の翼片２２を弾接させられない使用不能部である。
【００３５】
内蓋Ｌ2 の翼状針投入部Ａ1 に併設された一般注射針類投入部Ａ2 は、全体が方形枠状に形成された方形枠部に、緩やかな逆角錐状の天板部５１が設けられ、最も低い中央の投入口５２の部分は、他の部分よりも薄肉に形成されて、複数の切割５３が放射方向に形成されることで複数の弾性片５４が設けられ、各弾性片５４を下方に弾性変形させることで、投入口５２が形成され、非投入時には、当該投入口５２は、複数の弾性片５４で閉塞されている。また、特定の一つの切割５３に接続して、一般の注射針Ｎ2 の基端の鍔部Ｎ2aを引っ掛けて注射筒から抜き取るための注射針抜取り溝５５が放射方向に形成されている。
【００３６】
長方形枠状の内蓋Ｌ2 は、ケース本体Ｂの開口２に嵌着されて、内蓋Ｌ2 の下端面は、各縦リブ６，７の上端面に当接することで、ケース本体Ｂに支持される。ケース本体Ｂの開口２に内蓋Ｌ2 が嵌着された状態において、当該内蓋Ｌ2 の上端面は、ケース本体Ｂの開口面よりも僅かに下がっていて、ケース本体Ｂの第１及び第２の各側板部４，５と内蓋Ｌ2 との間には、所定の段差が形成されている。また、一般注射針類投入部Ａ2 は、上面開口が天板部５１で閉塞された方形枠状に形成されていて、当該方形枠の３辺部は、内蓋Ｌ2 を構成する外縦板部３１で形成され、嵌着状態でケース本体Ｂの第２側板部５と平行に配置される残りの１辺部を構成する第２内縦板部３７は、ケース本体Ｂの内部に設けられた仕切板８に当接する（図４参照）。
【００３７】
上記した翼状針廃棄ケースＣ1 の大きさは、〔縦寸法（Ｋ1 ）×横寸法（Ｋ2 ）×高さ寸法（Ｋ3 ）〕＝（１５５×８０×１２５）ｍｍであって（図１参照）、携帯可能なサイズであり、自宅で人工透析等を行うことで発生した使用済の翼状針Ｎ11，Ｎ12を廃棄収容して、掛り付けの医療機関に持参することで、そのままの状態で焼却処分される。
【００３８】
次に、図７〜図１０を参照して、上記した翼状針廃棄ケースＣ1 の使用方法について説明する。翼状針Ｎ11を廃棄するに際して、当該翼状針Ｎ11を引っ掛けて固定するには、突刺固定部Ｄ又は弾接保持部Ｅのいずれかを使用する。突刺固定部Ｄを使用する場合には、図７及び図８に示されるように、ケース本体Ｂの開口を覆蓋している外蓋Ｌ1 を開いて、金属針から成って、ほぼ直角に折り曲げられている翼状針Ｎ11に接続されている短チューブ２３の部分を、翼状針投入部Ａ1 の短チューブ挿通開口３０に挿通して、そのまま落下させることで、第１廃棄収容空間Ｖ1 に収容させた状態で、当該翼状針Ｎ11の先端部を、針挿入溝３４から挿入してスポンジ体３６を貫通させて、当該スポンジ体３６に翼状針Ｎ11を引っ掛ける。これにより、当該翼状針Ｎ11の基端部、及び当該部分に接続された短チューブ２３の短い長さの部分は、上方に突出することなく、ほぼ水平に保持されて、翼状針Ｎ11及びこれに接続された短チューブ２３が廃棄ケースＣ1 に廃棄収容される。
【００３９】
ここで、スポンジ体３６は、内蓋Ｌ2 の表面（天板部３３の表面）よりも下がった部分に配置され、しかも幅の狭い針挿入溝３４を通してのみ視認される構成であるので、翼状針Ｎ11を構成する金属針２１又は短チューブ２３に含まれていた血液又は薬液、特に血液が流出して、スポンジ体３６に付着したとしても、当該血液は、殆ど視認されない。よって、廃棄ケースＣ1 の外蓋Ｌ1 が開いている状態において、他人の血液が視認される不快感がなくなる。
【００４０】
一方、弾接保持部Ｅを使用する場合には、図７〜図９に示されるように、短チューブ２３を第１廃棄収容空間Ｖ1 に収容した状態で、翼状針Ｎ11の基端部に設けられた一対の翼片２２を上方に折り曲げた状態で、弾接保持部Ｅを構成する底板部４１に設けられた針挿通孔４３に翼状針Ｎ11を挿通させて、折り曲げられた一対の翼片２２を開放させると、当該一対の翼片２２は、その弾性復元力により、隣接する一対の弾接板部４２に弾接されて、底板部４１の針挿通孔４３に翼状針Ｎ11が引っ掛けられた状態が保持される。
【００４１】
このようにして、使用済の多数本の翼状針Ｎ11の金属針２１の部分を、内蓋Ｌ2 に設けられた突刺固定部Ｄ又は弾接保持部Ｅに引っ掛けて固定して、短チューブ２３の部分のみを短チューブ挿通開口３０を通して第１廃棄収容空間Ｖ1 に収容することで、多数本の翼状針Ｎ11を廃棄収容する際に、当該翼状針Ｎ11の金属針２１の部分が自身の、又は他の翼状針Ｎ11の短チューブ２３に絡み付くことなく、整然と廃棄収容できる。なお、翼状針Ｎ12の金属針２１は、使用後において保護部２４に部分収容されて露出していないので、短チューブ挿通開口３０を通して、翼状針Ｎ12の全体を、そのまま第１廃棄収容空間Ｖ1 に廃棄収容する。
【００４２】
一方、在宅においても、一般の注射器を使用して皮下注射することがあり、これに使用された一般注射針Ｎ2 、注射液の入ったアンプル６２等を廃棄処分したい場合があり、この場合には、内蓋Ｌ2 の翼状針投入部Ａ1 に併設された一般注射針類投入部Ａ2 を用いて、一般注射針Ｎ2 等の廃棄処分を行う。
【００４３】
注射液のアンプル６２を廃棄する場合には、一般注射針類投入部Ａ2 の投入口５２の部分にアンプル６２を押し付けて、各弾性片５４を下方に弾性変形させて、投入口５２を形成することで、当該アンプル６２は、投入口５２を通って第２廃棄収容空間Ｖ2 に収容される。
【００４４】
また、一般注射針Ｎ2 を廃棄する場合には、図１０に示されるように、注射筒６１に取付けられた一般注射針Ｎ2 を投入口５２に挿入して、注射針抜取り溝５５に接続する切割５３の両側の弾性片５４を下方に弾性変形させることで、当該一般注射針Ｎ2 の基端部の鍔部Ｎ2aを注射針抜取り溝５５の下方に配置させ、この状態で、注射筒６１を上方に引き上げると、当該注射筒６１から一般注射針Ｎ2 が外されて、第２廃棄収容空間Ｖ2 に落下して収容される。
【００４５】
注射液のアンプル６２、一般注射針Ｎ2 等の翼状針Ｎ11，Ｎ12以外の一般注射針類が第２廃棄収容空間Ｖ2 に収容されると、複数の弾性片５４が原形状に復帰して投入口５２を閉塞するため、廃棄ケースＣ1 が転倒しても、収容されている一般注射針類が投入口５２を通って外部に出されることがないと共に、第２廃棄収容空間Ｖ2 に収容されている一般注射針類は、外部からは視認できない。
【００４６】
このように、翼状針廃棄ケースＣ1 は、翼状針投入部Ａ1 と一般注射針類投入部Ａ2 との２種類の異なる構造の投入部を備えていて、翼状針Ｎ11，Ｎ12と、一般注射針類とを分別して廃棄収容できるため、翼状針Ｎ11，Ｎ12と一般注射針Ｎ2 とが絡み付いたりして、後の翼状針Ｎ11，Ｎ12の廃棄投入に支障を来すことがなくなり、しかも外蓋Ｌ1 が開いた状態で廃棄ケースＣ1 が転倒しても、一般注射針類が飛び出ない利点がある。
【００４７】
また、突刺固定部Ｄの上記構造では、スポンジ体３６は、ケース本体Ｂを構成する外縦板部３１と第１内縦板部３２との間に接着剤により固定するものであるが、図１１に示されるように、外縦板部３１及び第１内縦板部３２におけるスポンジ体３６の配置部に段差部３１ａ，３２ａを設けて、当該段差部３１ａ，３２ａと接着力との双方によりスポンジ体３６を支持固定する構造にしてもよい。この構造では、天板部３３’は、スポンジ体３６の配置後において、外縦板部３１及び第１内縦板部３２に対して接着剤等により固定する必要がある。
【実施例２】
【００４８】
次に、図１２を参照して、実施例２の翼状針廃棄ケースＣ2 について、前記廃棄ケースＣ1 と異なる部分についてのみ説明する。廃棄ケースＣ2 の翼状針投入部Ａ1'は、内蓋Ｌ2'の方形枠部の１辺部に、スポンジ体３６を用いた２段の突刺固定部Ｄが段差を有して配置されたものである。このため、廃棄状態において、翼状針Ｎ11の配置方向が一定となって、多数の翼状針Ｎ11を一層整然として廃棄収容できる利点がある。
【実施例３】
【００４９】
次に、図１３を参照して、実施例３の翼状針廃棄ケースＣ3 について説明する。図１３には、廃棄ケースＣ3 を構成する内蓋Ｌ2'' のみが示されている。廃棄ケースＣ3 のケース本体（図示せず）は、円筒状をなしており、これに対応して、内蓋Ｌ2'' は、短円筒状をなしていて、円筒壁部７１の内側に周方向に沿って突刺固定部Ｄと弾接保持部Ｅとが交互に配置されている構成が特徴である。即ち、弾接保持部Ｅは、互いに平行な一対の弾接板部７２と、針挿通孔７３が形成された底板部７４とで構成され、突刺固定部Ｄは、隣接する弾接保持部Ｅの間に形成されて、針収容空間７８の上端部が天板部７５で閉塞されて、当該天板部７５の中央部に針挿通孔７６が形成されて、前記針挿入空間に、天板部７５に接するか、或いは近接した状態でスポンジ体７７が挿入配置されて、接着剤で固定された構成である。
【００５０】
また、実施例１において、第１及び第２の各廃棄収容空間Ｖ1 ，Ｖ2 を仕切る仕切板８は、対向配置された一対の第１側板部４に固定された構成であるが、図１４に示されるように、当該一対の第１側板部４の内側に、それぞれ一対のガイド部材８１が固定されて、当該一対のガイド部材８１の間にガイド溝８２が形成され、対向する一対のガイド溝８２に、必要に応じて仕切板８を挿入する構成、即ち、仕切板８が取外し可能な構成としてもよい。これにより、仕切板８の有無によって、第１及び第２の各廃棄収容空間Ｖ1 ，Ｖ2 が仕切られた構造と、第１及び第２の各廃棄収容空間Ｖ1 ，Ｖ2 が連続した一体空間となった構造とを選択できる。
【００５１】
また、実施例１の廃棄ケースＣ1 において、方形枠状の内蓋Ｌ2 の翼状針投入部Ａ1 は、方形枠の４辺部のうち連続する各２辺部に、それぞれ異なる構造の突刺固定部Ｄと弾接保持部Ｅとを配置したが、４辺部に、同一構造の突刺固定部Ｄ又は弾接保持部Ｅを配置してもよい。
【００５２】
また、実施例２の廃棄ケースＣ2 において、突刺固定部Ｄを２段に配置した構成であるが、弾接保持部Ｅを２段に配置してもよく、異なる構造の突刺固定部Ｄ及び弾接保持部Ｅを２段に配置してもよい。
【００５３】
また、実施例１，２の廃棄ケースＣ1 ，Ｃ2 は、翼状針投入部Ａ1 に一般注射針類投入部Ａ2 を併設した構造であるが、翼状針投入部Ａ1 のみを有する構成にすることも可能である。
【符号の説明】
【００５４】
Ａ1 ：翼状針投入部
Ａ2 ：一般注射針類投入部
Ｂ：ケース本体
Ｃ1 〜Ｃ3 ：翼状針廃棄ケース
Ｄ：突刺固定部
Ｅ：弾接保持部
Ｌ1 ：外蓋
Ｌ2,Ｌ2', Ｌ2'' ：内蓋
Ｎ11，Ｎ12：翼状針
Ｎ2 ：一般注射針
Ｖ1 ：第１廃棄収容空間
Ｖ2 ：第２廃棄収容空間
２１：金属針
２２：翼片
２３：短チューブ
３０：短チューブ挿通開口
３３：天板部
３４：針挿入溝
３６，７７：スポンジ体
４１，７４：底板部
４２，７２：弾接板部
４３，７３，７６：針挿通孔
５１：天板部
５２：投入口
５３：切割
５４：弾性片
５５：注射針抜取り溝
７１：円筒壁部
７５：天板部
【図１】
2015065983.tif 000003
【図２】
2015065983.tif 000004
【図３】
2015065983.tif 000005
【図４】
2015065983.tif 000006
【図５】
2015065983.tif 000007
【図６】
2015065983.tif 000008
【図７】
2015065983.tif 000009
【図８】
2015065983.tif 000010
【図９】
2015065983.tif 000011
【図１０】
2015065983.tif 000012
【図１１】
2015065983.tif 000013
【図１２】
2015065983.tif 000014
【図１３】
2015065983.tif 000015
【図１４】
2015065983.tif 000016